(57)【要約】【課題】主接点溶着時のＯＦＦロック防止機能を備えつつ、ＯＮ／ＯＦＦロック、及びＯＦＦロックともに一種類で対応できる開閉器の外部操作ハンドルを得る。【解決手段】操作ハンドル１１に引き出し可能に構成されたロック部材１４を設けると共に、前記操作ハンドルに対してその回動軸１１ａの軸心を中心とする相対的角度位置が可変に設けられ、前記相対的角度位置が所定位置であるとき前記ロック部材１４と係合して前記操作ハンドルの回動を阻止し得るロック位置設定手段２１を設け、前記操作ハンドル１１と前記ロック位置設定手段２１とは、前記回動軸１１ａの軸心を中心とする前記開閉器１０２との相対的角度位置を、前記筐体に対する前記開閉器の取付け方向に対応して変更し得るよう構成されたものである。【選択図】図１
2008091300.tif 000002
【特許請求の範囲】
【請求項１】
制御盤等の筐体内に設置された開閉器の開閉操作を前記筐体の外部から行うようにした開閉器の外部操作ハンドル装置であって、トグルリンク機構を介して接点の開閉を行う前記開閉器の起倒形ハンドルに係合し前記起倒形ハンドルの移動に連動して移動するハンドル係合手段と、前記筐体の外部に露出し前記ハンドル係合手段に連結して前記ハンドル係合手段の移動に連動して回動軸を中心に回動する操作ハンドルと、前記操作ハンドルに設けられ前記回動軸の軸心に対してほぼ垂直方向に移動可能に構成されたロック部材と、前記操作ハンドルに対して前記回動軸の軸心を中心とする相対的角度位置が可変に設けられ、前記相対的角度位置が所定位置であるとき前記ロック部材と係合して前記操作ハンドルの回動を阻止し得るロック位置設定手段とを備え、前記操作ハンドルと前記ロック位置設定手段は、前記回動軸の軸心を中心とする前記開閉器との相対的角度位置を、前記筐体に対する前記開閉器の取付け方向に対応して変更し得るよう構成されたことを特徴とする開閉器の外部操作ハンドル装置。
【請求項２】
前記ハンドル係合手段は、前記開閉器の起倒形ハンドルの移動に連動して直線移動を行うよう前記起倒形ハンドルに係合し、前記操作ハンドルは、前記ハンドル係合手段に係合して前記ハンドル係合手段の直線移動に対応して回転する操作板を介して前記ハンドル係合部に連結され、前記操作板は、前記操作ハンドルに着脱自在に固定されると共にその固定方向を変更し得るよう構成され、前記操作ハンドルと前記開閉器との前記相対的角度位置の変更は、前記操作板の固定方向の変更により行うことを特徴とする請求項１に記載の開閉器の外部操作ハンドル装置。
【請求項３】
前記ロック位置設定手段は、前記開閉装置に固定されるフレーム部に着脱自在に装着されると共に、前記開閉器の取付け方向に対応してほぼ９０度毎に前記開閉器との相対的角度位置の変更が可能であり、且つ前記軸心を中心として相互にほぼ９０度の間隔で配置された１つの遮蔽壁と３つのガイドとを備え、前記夫々のガイドは前記ロック部材と対応したときこれと係合可能に構成され、前記遮蔽壁は前記ロック部材と対応したとき前記ロック部材の前記垂直方向の移動を阻止するよう構成され、前記ロック位置設定手段は、前記操作ハンドルが前記開閉器の閉位置に対応する回動位置にあるとき、前記ロック部材が前記遮蔽壁又は前記遮蔽壁に対してほぼ１８０度の間隔にあるガイドに対応し、前記操作ハンドルが前記開閉器のリセット位置に対応する位置にあるとき、前記ロック部材が前記遮蔽壁の両側に隣接するガイドの何れかに対応するように前記フレーム部に装着されることを特徴とする請求項１又は２に記載の開閉器の外部操作ハンドル装置。
【請求項４】
前記ロック位置設定手段は、前記操作ハンドルが前記開閉器のリセット位置に対応する位置にあるとき、前記ロック部材が前記遮蔽壁の両側に隣接するガイドの何れかに対応して係合し、前記開閉器がリセット位置から開位置に移動してもその係合が維持され得るよう構成されたことを特徴とする請求項３に記載の開閉器の外部操作ハンドル装置。
【請求項５】
前記フレーム部は、前記軸心を中心としてほぼ９０度の間隔で配置された複数のフレーム部側嵌合手段を備え、前記ロック位置設定手段は、前記軸心を中心としてほぼ９０度の間隔で配置され前記複数のフレーム部側嵌合手段に夫々嵌合可能に形成された複数のロック位置設定手段側嵌合手段を備え、前記ロック位置設定手段は、前記フレーム部側嵌合手段と前記ロック位置設定手段側嵌合手段とを嵌合させて前記フレーム部に装着され、前記ロック位置設定手段の前記相対的角度位置の変更は、前記フレーム部側嵌合手段と前記ロック位置設定手段側嵌合手段との対応関係を変更することにより行うことを特徴とする請求項３に記載の開閉器の外部操作ハンドル装置。
【請求項６】
前記開閉器が閉位置にあるとき前記制御盤等の筐体の扉の開放を禁止するインターロック手段を備え、前記フレーム部は、前記扉の開放の禁止を解除するレリーズ手段を挿入するガイド孔を備えたことを特徴とする請求項３に記載の開閉器の外部操作ハンドル装置。
【請求項７】
前記ロック位置設定手段は、前記フレーム部に設けられた貫通穴に挿入される中駒部により構成されたことを特徴とする請求項３に記載の開閉器の外部操作ハンドル装置。
【請求項８】
前記フレーム部は、下フレームとこれに重ねて配置される上フレームを備え、前記ロック位置設定手段は、前記上フレームにより構成されたことを特徴とする請求項３に記載の開閉器の外部操作ハンドル装置。
【発明の詳細な説明】
【技術分野】
【０００１】
この発明は、制御盤等に組み込まれた配線用遮断器や漏電遮断器等の開閉器を、制御盤等の前面外側から操作する開閉器の外部操作ハンドル装置に関するものである。
【背景技術】
【０００２】
従来、配線用遮断器や漏電遮断器等の開閉器（以下、単に、開閉器と称する）によって電路の開閉を行った際に、その電路を開（以下、ＯＦＦと称する）若しくは閉（以下、ＯＮと称する）状態に保持させるために、その開閉器の起倒形ハンドルに例えばハンドルロック装置等を装着して開閉器をＯＦＦ位置若しくはＯＮ位置にロックし、開閉器の操作を拘束することが知られている。これは、例えば、開閉器をＯＦＦ位置に拘束して、開閉器の負荷側電路の点検作業の安全確保や、開閉器をＯＮ位置に拘束して、重要な回路がＯＦＦ操作されないように給電を確保するために行われる。
【０００３】
一方、開閉器を例えば制御盤等に設置した場合、配線の都合上、制御盤等の奥側に開閉器が収納されて、開閉器の起倒形ハンドルが制御盤等の前面に露出しない構成になる場合がある。このような構成の場合には、制御盤等の前面外側から内部の開閉器を操作できる外部操作ハンドル装置を開閉器自体に付加し、制御盤等の前面外側からその外部操作ハンドル装置を操作して開閉器を開閉操作するに構成される。また、制御盤等の前面が扉になっている場合には、その扉に外部操作ハンドル装置を設け、扉を閉じたとき開閉器の起倒形ハンドルに外部操作ハンドル装置が係合して操作できるように構成される。
【０００４】
勿論、このように外部操作ハンドル装置を開閉器に装着した場合でも、その開閉器の操作を前述の目的で拘束することが必要な場合がある。一般的に、外部操作ハンドル装置は、手動操作可能な回動式ハンドル部を備えている。そこで、従来、その回動式ハンドル部にロックプレートを装着し、このロックプレートを用いてハンドル部の操作をロックできるように構成した装置が提案されている。この従来の装置に於けるロックプレートは、回動式ハンドル部に挿入及び引き出し可能に設けられ、回動式ハンドル部から引き出されたときに回動式ハンドル部の回動を阻止し、かつ、そのロックプレートの引き出された部分に設けられたロック孔に、南京錠等の操作ロック錠が取り付けられてロックされるよう構成されている。
【０００５】
ところで、通電状態にある開閉器に過電流が流れた場合に、開閉器が万一故障してトリップ動作しないと、その主接点が過電流の通電に伴う発熱で溶着し、通電状態のままになるという異常事態が発生することがある。このとき、主接点の溶着を知らないまま、開閉器をＯＦＦ操作しようとして回動式ハンドル部をＯＦＦ方向へ回動させた場合、開閉器の起倒形ハンドルがＯＦＦ方向へ倒れるのは止むを得ないとしても、回動式ハンドル部がＯＦＦ位置へ到達することは絶対に避けなければならない。そのため、主接点がＯＮ状態相当である限りは、ロックプレートの引き出しによるＯＦＦ位置での施錠ができないように構成し、回動式ハンドル部の位置による誤認識を防止し、特に負荷側の点検作業の安全確保を図る必要がある。
【０００６】
そこで、従来の開閉器の外部操作ハンドル装置では、回動式ハンドル部を連結軸及び操作ハンドルに分け、操作ハンドルをＯＮ位置からＯＦＦ位置への回動当初において、連結軸に対し「遊び」を持たせておくとともに、主接点の溶着時には、開閉器の引き外しばねの作用線がトグルリンク機構のデッドポイントを越えないことに着目することで、前述した「遊び」により、操作ハンドルがＯＦＦ位置にあっても、連結軸が追従しないため、ロックプレートを引き出すことができない構成としている（例えば、特許文献１参照）。この従来の装置によれば、主接点がＯＮ状態にある開閉器を、ＯＦＦ状態であると誤認する恐れがない。
【０００７】
【特許文献１】特開２００２−２５４１１号公報（第４頁右欄第４３行〜第５頁左欄第１４行）
【発明の開示】
【発明が解決しようとする課題】
【０００８】
開閉器を制御盤等に設置する際、開閉器に接続される電路の電源側導体、或いは負荷側導体の制御盤内に於ける配設レイアウトの関係上、例えば、開閉器の電源側端子が設けられている側（以下、電源側と称する）を電路の電源側導体側に向けた方が都合がよい場合がある。一般に、外部操作ハンドル装置に刻印、又は印刷された表示類は、電源側を上に向けた開閉器に付加した場合に合わせて設けられており、その際の回動式ハンドル部の回動は、時計の針に例えると、１２時の位置がＯＮ、そこから反時計方向に廻し、９時の位置がＯＦＦとなっている。そのため、電路の配置の関係から電源側を右向き（又は左向き）にして制御盤等に取り付けた開閉器では、前述した表示類が見難いのに加え、ＯＮからＯＦＦへの操作が３時から１２時の位置（左向き取り付けでは、９時から６時の位置）となり、折角、制御盤等内に於ける開閉器の設置方向に自由度を持たせたとしても、外部から視認される回動式ハンドル部の向きが開閉器の設置方向に応じて変わるようであれば、美観上から、更には誤操作の可能性が高まる点等から好ましくないことは明白である。
【０００９】
従って、開閉器の設置方向に拘わらず、常に、開閉器のＯＮ位置では、操作ハンドルが１２時の方向を向くよう、製造者側にて回動式ハンドル部（連結軸）と連結板の固着が、９０度間隔で変えられるように構成される場合がある。ところが、この場合、引き出したロックプレートを係止させる係止部（特許文献１では符合３３ｂ）の位置を変えたハンドルベースを用意せねばならず、しかも、使用者側の要求仕様に応じてその都度組み立てるため、誤組立や誤発送の懸念が残る。又、電路をＯＦＦ状態でロックするＯＦＦロックに加えて、電路をＯＮ状態でロックするＯＮロックを可能とするＯＮ／ＯＦＦロックの場合、更にハンドルベースの種類が増えてしまい、外部操作ハンドルとしての標準化の阻害要因となっていた。
【００１０】
この発明は、上述のような課題を解決するためになされたもので、主接点溶着時のＯＦＦロック防止機能を有すると共にＯＮロック及びＯＦＦロックの双方の機能を備えたいとする要求、及び主接点溶着時のＯＦＦロック防止機能を有すると共にＯＦＦロック機能のみを備えたいとする要求の、何れの要求にも対応できる開閉器の外部操作ハンドル装置を得ることを目的とするものである。
【課題を解決するための手段】
【００１１】
この発明に係る開閉器の外部操作ハンドル装置は、制御盤等の筐体内に設置された開閉器の開閉操作を前記筐体の外部から行うようにした開閉器の外部操作ハンドル装置であって、トグルリンク機構を介して接点の開閉を行う前記開閉器の起倒形ハンドルに係合し前記起倒形ハンドルの移動に連動して移動するハンドル係合手段と、前記筐体の外部に露出し前記ハンドル係合手段に連結して前記ハンドル係合手段の移動に連動して回動軸を中心に回動する操作ハンドルと、前記操作ハンドルに設けられ前記回動軸の軸心に対してほぼ垂直方向に移動可能に構成されたロック部材と、前記操作ハンドルに対して前記回動軸の軸心を中心とする相対的角度位置が可変に設けられ、前記相対的角度位置が所定位置であるとき前記ロック部材と係合して前記操作ハンドルの回動を阻止し得るロック位置設定手段とを備え、前記操作ハンドルと前記ロック位置設定手段は、前記回動軸の軸心を中心とする前記開閉器との相対的角度位置を、前記筐体に対する前記開閉器の取付け方向に対応して変更し得るよう構成されたものである。
【発明の効果】
【００１２】
この発明に係る開閉器の外部操作ハンドル装置は、操作ハンドルに設けられ回動軸の軸心に対してほぼ垂直方向に移動可能に構成されたロック部材と、前記操作ハンドルに対して前記回動軸の軸心を中心とする相対的角度位置が可変に設けられ、前記相対的角度位置が所定位置であるとき前記ロック部材と係合して前記操作ハンドルの回動を阻止し得るロック位置設定手段とを備え、前記操作ハンドルと前記ロック位置設定手段は、前記回動軸の軸心を中心とする前記開閉器との相対的角度位置を、前記筐体に対する前記開閉器の取付け方向に対応して変更し得るよう構成されているので、開閉器の外部操作ハンドル装置を構成する部品を交換することなく、使用者側の複数の要求仕様に対応することができるので、外部操作ハンドルの製造コスト低減が可能である。
【発明を実施するための最良の形態】
【００１３】
実施の形態１．
図１は、この発明の実施の形態１に於ける開閉器の外部操作ハンドル装置を示す分解斜視図、図２は、その外部操作ハンドル装置を開閉器に取り付けた状態を示す部分断面側面図、図３は、外部操作ハンドル装置の回動式ハンドル部を示す説明図で、（ａ）はロックプレートの引き出し前を示す正面図、（ｂ）はその右側面図、（ｃ）はロックプレートの引き出し後を示す正面図である。図４は、正面プレート部の筒体に中駒部を収納した状態を示す平面図である。
【００１４】
図１乃至図４に於いて、開閉器の外部操作ハンドル装置１０１は、大別して、回動式ハンドル部１と、正面プレート２と、中間フレーム３と、スライダー４と、ひねりバネ５と、主フレーム６とから構成されている。この開閉器の外部操作ハンドル装置１０１は、図２に示すように制御盤等（図示せず）に設置された配線用遮断器等の開閉器１０２に固定され、ハンドル係合手段であるスライダー４の係合穴４ｂが開閉器１０２の起倒形ハンドル１０２ａに係合する。
【００１５】
開閉器１０２は、実施の形態１の場合では図２に示す右側端部に電源側端子（図示せず）を備え、左側端部に負荷側端子（図示せず）を備えている。開閉器１０２は、周知のように固定接点と可動接点を有し、起倒形ハンドル１０２ａを図２に示す起立したＯＮ位置に操作することにより、トグル機構を備えた操作機構を介して可動接点が固定接点に接触して閉（以下、ＯＮと称する）状態となり、起倒形ハンドル１０２ａを図２の左方向へ倒したＯＦＦ位置へ操作することにより、トグル機構を備えた操作機構を介して可動接点が固定接点から離反して開（以下、ＯＦＦと称する）状態となる。又、過電流等が流れた時や漏電電流が流れた時にトリップ動作により自動的にＯＦＦ状態とする引外し手段を備えており、この引外し手段のトリップ動作によりＯＦＦ状態とされたときは、起倒形ハンドル１０２ａはＯＮ位置とＯＦＦ位置の中間位置であるトリップ位置に移動する。開閉器１０２をトリップ状態から再度ＯＮ状態とする操作は、起倒形ハンドル１０２ａを、一旦、ＯＦＦ位置から更に図２の左方向のリセット位置へ移動させて引外し手段をリセットして後、起倒形ハンドル１０２ａを右方のＯＮ位置へ移動させることで行われる。
【００１６】
もし、開閉器１０２に設けられている引外し手段が故障した場合、回路に過電流が流れても引外し手段が動作せず、従って主接点である固定接点と可動接点とが過電流により溶着することがある。この場合、引外し手段が動作していないので、起倒形ハンドル１０２ａはＯＮ位置のままとなるが、手動でその起倒形ハンドル１０２ａをＯＦＦ位置へ移動させようとしても、ＯＦＦ位置へ到達させることができない構成となっている。
【００１７】
開閉器の外部操作ハンドル装置１０１に於いて、回動式ハンドル部１は、図２に示す開閉器１０２の開閉操作を制御盤等（図示せず）の筐体の前面外側から手動で行うための操作ハンドル１１と、このハンドル１１と一体に形成された回動軸１１ａを備えている。操作ハンドル１１の一方の側部には溝１１ｂが設けられている。ロックプレート１４は、一部分が操作ハンドル１１の溝１１ｂ内に格納されるよう操作ハンドル１１に装着されている。又、ロックプレート１４は、回動軸１１ａの軸方向に対して垂直方向に移動可能に設けられている。ロックプレート１４は、図３の（ａ）に示すように、ロックプレート１４を貫通するロック孔１４ａと、操作ハンドル１１の軸方向に突出したロック片１４ｂと、バネ用貫通孔１４ｃとを備えている。ロックプレート１４とそのロック片１４ｂは、ロック部材を構成している。
【００１８】
ピン１５は、ロックプレート１４のバネ用貫通孔１４ｂを貫通して操作ハンドル１１に固定されている。このピン１５とバネ用貫通穴１４ｃの壁部との間に圧縮バネ１６が設けられており、ロックプレート１４は、その圧縮バネ１６の反力により操作ハンドル１１の溝１１ｂ内に収納される方向に常時付勢され、通常時には図３の（ａ）に示すように、ロックプレート１４の一部分は操作ハンドル１１の溝１１ｂ内に格納されている。手動により、圧縮バネ１６の反力に逆らって、ロックプレート１４を図３の（ｃ）に示す矢印方向に引き出せば、ロックプレート１４のロック孔１４ａが操作ハンドル１１の溝１１ｂから完全に露出し、後述するようにそのロック孔１４ａに南京錠１０３を差込むことにより、ロックプレート１４をその位置に保持してロックすることができる。
【００１９】
正面プレート２は、軸方向に貫通穴を備えた筒体２０を有するフレーム部２２と、操作ハンドル１１の回動軸１１ａを回動可能に軸支する軸受２１ａを備えたロック位置設定手段としての中駒部２１とにより構成されている。中駒部２１は、筒体２０の貫通穴に着脱自在に収納され、フレーム部２２から分離することが可能である。フレーム部２２の筒体２０の内周面部には、回動軸１１ａの軸心の周りに９０度間隔で配置される第１の嵌合凸部２２ｂ１と、第２の嵌合凸部２２ｂ２と、第３の嵌合凸部２２ｂ３と、第４の嵌合凸部２２ｂ４とが設けられている。これらの第１〜第４の嵌合凸部２２ｂ１〜２２ｂ４は、フレーム部側嵌合手段を構成している。これらの嵌合凸部のうち、第１の嵌合凸部２２ｂ１には、後述するレリーズピン３２に嵌合するガイド孔２２ａが設けられている。
【００２０】
中駒部２１の軸方向の一端面２１０の外周部には、中駒部２１の軸心の周りに９０度間隔で配置された第１の嵌合凹部２１ｂ１と、第２の嵌合凹部２１ｂ２と、第３の嵌合凹部２１ｂ３と、第４の嵌合凹部２１ｂ４とが設けられている。これらの第１〜第４の嵌合凹部２１ｂ１〜２１ｂ４は、ロック位置設定手段側嵌合手段を構成している。中駒部２１は、第１〜第４の嵌合凹部２１ｂ１〜２１ｂ４と第１〜第４の嵌合凸部２２ｂ１〜２２ｂ４とを夫々嵌合させた状態で筒部２０の貫通穴内に収納される。中駒部２１の第１〜第４の嵌合凹部２１ｂ１〜２１ｂ４と、筒体２０の第１〜第４の嵌合凸部２２ｂ１〜２２ｂ４とは、夫々の軸心の周りに９０度間隔で設けられているので、係合させるそれらの対応位置を変えることにより、中駒部２１と筒体２０との相対的位置を軸心の周りに９０度間隔で変えることができる。
【００２１】
中駒部２１の一端面２１０の表面には、軸受２１ａを包囲する環状の案内溝２１ｄが設けられており、ロックプレート１４に設けられたロック片１４ｂはこの案内溝２１ｄに摺動自在に係合する。又、図４にも明確に示すように、中駒部２１の一端面２１０には、第１の嵌合凹部２１ｂ１と第４の嵌合凹部２１ｂ４との略中間部に設けられた第１のガイド２１ｅと、第１の嵌合凹部２１ｂ１と第２の嵌合凹部２１ｂ２との略中間部に設けられた第２のガイド２１ｆと、第２の嵌合凹部２１ｂ２と第３の嵌合凹部２１ｂ３との略中間部に設けられた第３のガイド２１ｇとが設けられている。第１のガイド２１ｅ、第２のガイド２１ｆ、第３のガイド２１ｇの夫々の底面は、案内溝２１ｄの底面と同一平面上で連続するよう構成されている。第１のガイド２１ｅと第３のガイド２１ｇとは、中駒部２１の軸心を中心としてほぼ１８０度の間隔で設けられている。
【００２２】
又、中駒部２１の一端面２１０に於いて、第３の嵌合凹部２２ｂ３と第４の嵌合凹部２２ｂ４との間には、案内溝２１ｄの外周壁を構成する第１の遮蔽壁２１ｃ１が設けられている。案内溝２１ｄの外周壁を構成する第２の遮蔽壁２１ｃ２は、第１のガイド２１ｅを反時計方向にほぼ中間部まで覆うよう設けられ、更に、案内溝２１ｄの外周壁を構成する第３の遮蔽壁２１ｃ３は、第３のガイド２１ｇを反時計方向にほぼ中間部まで覆うように設けられている。第２の遮蔽壁２１ｃ２と第３の遮蔽壁２１ｃ３の周方向の長さは、図１に示すように寸法ａに設定されている。第１〜第３の遮蔽壁２１ｃ１〜２１ｃ３は、ロックプレート１４のロック片１４ｂが、案内溝２１ｄから中駒部２１の軸心に対して垂直方向外側に移動するのを防止する遮蔽壁を構成している。第１の遮蔽壁２１ｃ１と第２のガイド２１ｆとは、中駒部２１の軸心を中心としてほぼ１８０度の間隔で設けられ、第２の遮蔽壁２１ｃ２と第３の遮蔽壁２１ｃ３とは、中駒部２１の軸心を中心としてほぼ１８０度の間隔で設けられている。
【００２３】
詳細については後述するが、開閉器１０２のＯＦＦ位置では、ロックプレート１４のロック片１４ｂは第２の遮蔽壁２１ｃ２又は第２の遮蔽壁２１ｃ３に当接して中駒部２１の軸心に対して垂直方向外側に移動することはできないが、操作ハンドル１１をＯＦＦ位置から更に反時計方向に僅かに回動させてリセット位置へ移動させることにより、ロック片１４ｂは、第２の遮蔽壁２１ｃ２又は第２の遮蔽壁２１ｃ３から外れ、第１のガイド２１ｅ又は第３のガイド２１ｇ内に移動することができる。従って、このリセット位置ではロックプレート１４を操作ハンドル１１から引き出すことができ、後述するように、ロックプレート１４を南京錠１０３（図３参照）による施錠することが可能となる。この状態で操作ハンドル１１をリセット位置からＯＦＦ位置へ移動させても、ロック片１４ｂは第１のガイド２１ｅ又は２１ｇと係合したまま移動しその係合は継続される。
【００２４】
又、開閉器１０２のＯＮ位置で、ロックプレート１４のロック片１４ｂが第２のガイド２１ｆに対応しているときは、ロック片１４ｂは第２のガイド２１ｆ内に移動することができ、ロックプレート１４を南京錠１０３（図３参照）による施錠することが可能となる。以上のことから、第１のガイド２１ｅ及び第３のガイド２１ｇをＯＦＦ用ガイド、第２のガイド２１ｆをＯＮ用ガイドと称することもある。
【００２５】
中駒部２１には、その軸方向に延びる複数の凸条体２１ｈが設けられている。これらの凸条体２１ｈの端縁は、中駒部２１がフレーム部２２の筒体２０の貫通穴の内部に挿入されたとき、筒体２０の内周面に当接して中駒部２１を筒体２０内で安定させる。
【００２６】
正面プレート２の基台となる中間フレーム３は、正面プレート２のフレーム部２２の底面に配置される。中間フレーム３には、その切欠き穴３ｃから挿入され先端部が操作板１３の長孔１３ｃに係合するインターロックプレート３１と、インターロックプレート３１のロックを解除して制御盤の開扉時のＯＮ操作を可能とするレリーズピン３２と、このレリーズピン３２をインターロックプレート３１に係合させた後にレリーズピン３２に締着されるネジ３３とが具備される。
【００２７】
インターロックプレート３１は、扉ロック機構を構成し、操作ハンドル１１がＯＮ位置にあるときは制御盤の扉を開かないようにロックすると共に、制御盤の開扉時には操作ハンドル１１のＯＮ操作を禁止する。レリーズピン３２は、正面プレート２の前面からそのガイド孔２２ａに挿入され、インターロックプレート３１の係合穴３１ａに係合した状態でネジ３３により締結される。開閉器１０２のＯＮ時に於ける扉ロックの解除は、レリーズピン３２を回動しててインターロックプレート３１を回動させ制御盤の扉開閉機構（図示せず）のロックを解くことにより行われる。この扉ロックの解除は、開扉時のＯＮ操作を可能とする。
【００２８】
尚、ロックを解除して開扉時のＯＮ操作を可能とする場合、特に使用者側の要求に応じて、開閉器のＯＦＦ位置（後述するが、回動式ハンドル部１の図１に示す位置に相当）でロックを解除するケース、或いはリセット位置（図１の回動式ハンドル部１をさらに反時計方向に回動させた位置に相当）でロックを解除するケースの２種類が知られているが、これらに対応するために、インターロックプレート３１を、その都度、例えば製造者側にてインターロックプレート３１を交換することは得策ではない。そこで、図１に示すように、レリーズピン３２が係合するインターロックプレート３１の係合孔３１ａを、隣合う２つの係合孔で構成し、インターロックプレート３１を中間フレーム３に具備させる際、この２つの係合孔のうち何れかを選択してレリーズピン３２に係合させることで、回転ストロークを調整し、前述した２種類に対応できるようにしている。これにより、インターロックプレート３１は１種類でよく、外部操作ハンドルの標準化に繋がる。
【００２９】
操作板１３は、一方の表面に突出するピン１３ａを備えている。この操作板１３は、そのほぼ中央部のネジ用孔１３ｂを有し、このネジ用孔１３ｂを貫通して操作ハンドル１１の回動軸１１ａに螺合するネジ１２により操作ハンドル１１と一体に固定される。操作板１３と操作ハンドル１１との固定角度は、ネジ１２を中心として変更することが可能である。ひねりバネ５は、中間フレーム３と操作板１３との間に設けられ、その一端が中間フレーム３に固定され、他端が操作板１３に固定される。このひねりバネ５により、操作ハンドル１１及び操作板１３は、正面プレート２及び中間フレーム３に対して常時所定方向の付勢力を受けることになるが、このひねりバネ５の作用については後述する。
【００３０】
スライダー４は、操作板１３に設けられたピン１３ａと摺動自在に係合する長穴４ａを備え、両側部に設けられたレール受部４ｃ１、４ｃ２が、主フレーム６の一対のガイドレール６ｂ１、６ｂ２に夫々摺動自在に係合する。従って、操作板１３を時計方向に回動させればスライダー４はガイドレール６ａ１、６ａ２に沿って図１の上方向に移動し、操作板１３ｂを反時計方向に回動させればスライダー４はガイドレール６ａ１、６ａ２に沿って図１の下方向に移動する。
【００３１】
図２に示すように、中間フレーム３の取付足３ａ、３ｂは、ネジ７ａ、７ｂにより主フレーム６に固定される。主フレーム６は、前述したように制御盤の内部に設置された開閉器１０２の上面部に固定される。このとき、開閉器１０２の起倒形ハンドル１０２ａは、スライダー４の係合穴４ｂに係合する。従って、起倒形ハンドル１０２ａは、ガイドレール６ａ１、６ａ２を移動するスライダー４により、図２に示すＯＮ位置、又は図２の左方のＯＦＦ位置に駆動される。又、開閉器１０２が過電流等によりトリップした場合、その起倒形ハンドル１０２ａはＯＮ位置とＯＦＦ位置とのほぼ中間の位置であるトリップ位置へ移動するが、このときスライダー４は、その起倒形ハンドル１０２ａに駆動されてガイドレール６ａ１、６ａ２のほぼ中間位置まで移動する。
【００３２】
ひねりバネ５は、一端が中間フレーム３に固定され、他端が操作板１３に固定されて中間フレーム３と操作板１３との間に設けられる。このひねりバネ５は、操作板１３を介して操作ハンドル１１をトリップ位置側へ常時付勢する。従って、ひねりバネ５の付勢力は、操作ハンドル１１をＯＮ位置からＯＦＦ位置の方向、及びＯＦＦ位置からＯＮ位置の方向への回転作動力に対する助勢力として作用すると共に、スライダー４の係合穴４ｂと起倒形ハンドル１０２ａとの間で生じる隙間を、ＯＮまたはＯＦＦ方向に付勢して除去する作用を成すものである。このように、ひねりバネ５により、操作ハンドル１１のＯＮまたはＯＦＦ方向への付勢力が助勢されるため、外部操作ハンドル装置１０１の外形をコンパクト化することができる。
【００３３】
実施の形態１では、正面プレート２、中間フレーム３、及び主フレーム６により、外部操作ハンドル装置のフレームを構成しているが、正面プレート２、中間フレーム３、及び主フレーム６は実施の形態１のような別体である必要はなく、これらのうちの何れか２つ、又は全てを、一体に構成したフレームとしてもよい。
【００３４】
開閉器の外部操作ハンドル装置１０１は、図２に示すように組み立てられた状態では、操作ハンドル１１を手動により、時計方向、又は反時計方向にほぼ９０度の範囲で回動させることができる。操作ハンドル１１と操作板１３とはネジ１２により固定されているので、操作ハンドル１１の回動により操作板１３も同時に回動し、その回動がスライダー４により直線移動に変換される。このスライダー４の直線移動により開閉器１０２の起倒形ハンドル１０２ａが操作され、開閉器１０２がＯＮ又はＯＦＦとされる。
【００３５】
次に、以上のように構成された開閉器の外部操作ハンドル装置１０１に於いて、操作ハンドル１１を開閉器１０２のＯＮ位置でロックするＯＮロックの構成、及び操作ハンドル１１を開閉器１０２のＯＦＦ位置でロックするＯＦＦロックの構成、並びに開閉器１０２の故障による主接点の溶着時に操作ハンドル１１のＯＦＦロックを防止するＯＦＦロック防止の構成について、夫々詳細に説明する。
【００３６】
開閉器の外部操作ハンドル装置１０１は、制御盤の使用者の要求等により、操作ハンドル１１をＯＮロック又はＯＦＦロックの何れにも設定できる構成（以下、ＯＮ／ＯＦＦロックと称する）と、操作ハンドル１１をＯＦＦロックのみに設定できる構成（以下、ＯＦＦロックと称する）との何れにも構成することができる。そしてこれらの何れの構成の場合にも、開閉器１０２の故障によりその主接点が溶着してＯＮのままとなった場合は、操作ハンドル１１のＯＦＦロックを防止するＯＦＦロック防止機能を備える。
【００３７】
図５は、ＯＮ／ＯＦＦロックを可能とする構成（ｂ１）〜（ｂ４）と、ＯＦＦロックのみを可能とする構成（ｃ１）〜（ｃ４）とを、開閉器の取付方向（ａ１）〜（ａ４）に対応して示す説明図である。（ａ１）は、開閉器１０２の起倒形ハンドル１０２ａの操作方向が垂直方向で且つＯＮ位置が上方（以下、１２時の位置と称する）である場合を示し、（ａ２）は、起倒形ハンドル１０２ａの操作方向が水平方向でＯＮ位置が左方（以下、９時の位置と称する）である場合を示し、（ａ３）は、起倒形ハンドル１０２ａの操作方向が垂直方向でＯＮ位置が下方（以下、６時の位置と称する）である場合を示し、（ａ４）は、起倒形ハンドル１０２ａの操作方向が水平方向でＯＮ位置が右方（以下、３時の位置と称する）である場合を示している。
【００３８】
先ず、開閉器１０２の取付け方向が（ａ１）である場合に於いて、ＯＮ／ＯＦＦロックを可能とする構成（ｂ１）について説明する。開閉器の取付方向が（ａ１）の場合、その取付け方向に対応して主フレーム６、中間フレーム３、正面プレート２は、夫々図１に示す配置となる。この配置に於いて、正面プレート２に対する中駒部２１と操作ハンドル１１との組込みは、以下のように行う。即ち、先ず、操作ハンドル１１の回動軸１１ａに操作板１３を固定しているネジ１２を緩めて操作ハンドル１１を正面プレート２から外す。次に、中駒部２１の第１の嵌合凹部２１ｂ１が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。
【００３９】
次に、操作ハンドル１１を中駒部２１の軸受２１ａに挿入し、ネジ１２により操作ハンドル１１の回動軸１１ａと操作板１３とを固定する。このとき、開閉器１０２の起倒形ハンドル１０２ａがＯＮ位置のとき操作ハンドル１１の反ロックプレート側１１ｃが正面プレート２の１２時の位置に合致し、起倒形ハンドル１０２ａがＯＦＦ位置のとき操作ハンドル１１の反ロックプレート側１１ｃが正面プレート２の９時の位置に合致するよう、操作ハンドル１１と操作板１３との固定方向が設定される。ロックプレート１４のロック片１４ｂは、操作ハンドル１１を正面プレート２に組込むことにより、中駒部２１の案内溝２１ｄに係合される。
【００４０】
図５の（ｂ１）の構成に於いて、操作ハンドル１１の反ロックプレート側１１ｃを、１２時に位置であるＯＮ位置から反時計方向に９０度回転させて９時の位置であるＯＦＦ位置とすれば、操作板１３に係合するスライダー４により開閉器１０２の起倒形ハンドル１０２ａはＯＮ位置からＯＦＦ位置へ駆動されて開閉器１０２はＯＦＦとなる。操作ハンドル１１の反ロックプレート側１１ｃをＯＦＦ位置から時計方向に９０度回動してＯＮ位置とすれば、起倒形ハンドル１０２ａはＯＮ位置に駆動されて開閉器１０２はＯＮとなる。
【００４１】
操作ハンドル１１の反ロックプレート側１１ｃがＯＮ位置にあるとき、即ち開閉器１０２がＯＮのとき、操作ハンドル１１に装着されたロックプレート１４は、ＯＮ位置に対して１８０度異なる位置である時計の６時の位置にあり、ロックプレート１４のロック片１４ｂは、中駒部２１の第２のガイド２１ｆに対応した位置にある。従って、ロックプレート１４を手動により操作ハンドル１１の外側方向に引けば、そのロック片１４ｂが案内溝２１ｄから第２のガイド２１ｆ内に移動し、ロックプレート１４を操作ハンドル１１の溝１１ｂから引き出すことができる。図６の（ｂ）に、そのロックプレート１４を引き出した状態を模式的に示している。
【００４２】
ロックプレート１４が操作ハンドル１１から引き出されると、ロックプレート１４のロック孔１４ａは、図３の（ｃ）に示すように操作ハンドル１１の溝１１ｂから完全に露出するので、このロック孔１１ａに南京錠１０３を差し込むことにより、ロックプレート１４が操作ハンドル１１の溝１１ｂ内に戻らないようにすることができる。これにより、外部操作ハンドル装置はＯＮロックされたこととなる。この状態で操作ハンドル１１をＯＦＦ位置へ回動させようとしても、ロックプレート１４のロック片１４ｂが中駒部２１の第２のガイド２１ｆの壁部２１ｆ１に当接するので、回動させることができず、開閉器１０２はＯＮ状態にロックされる。
【００４３】
次に、操作ハンドル１１の反ロックプレート側１１ａがＯＦＦ位置にあるとき、即ち開閉器１０２がＯＦＦ状態にあるとき、操作ハンドル１１に装着されたロックプレート１４は、ＯＦＦ位置に対して１８０度異なる位置である時計の３時の位置にあり、ロックプレート１４のロック片１４ｂは、中駒部２１の第２の遮蔽壁２１ｃ２に対応した位置にある。従って、この状態ではロックプレート１４を操作ハンドル１１から引き出すことはできない。
【００４４】
操作ハンドル１１をＯＦＦ位置から更に反時計方向に回動させてリセット位置に対応させると、ロックプレート１１のロック片１１ｂは第２の遮蔽壁２１ｃ２から外れて第１のガイド２１ｅに対応することになる。この状態で手動にてロックプレート１４を操作ハンドル１１の外側方向に引けば、そのロック片１４ｂが案内溝２１ｄから第１のガイド２１ｅ内に移動し、ロックプレート１４を操作ハンドル１１から引き出すことができる。図６の（ａ）に、そのロックプレート１４を引き出した状態を模式的に示している。リセット位置にある操作ハンドル１１から手を放せば、操作ハンドル１１はＯＦＦ位置へ戻るが、このときロックプレート１４のロック片１４ｂは、第１のガイド２１ｅ内を時計方向に移動して第２の遮蔽壁２１ｃ２の裏側に至り、ロックプレート１４は操作ハンドル１１から引き出されたままとなる。
【００４５】
この状態でロック孔１１ａに南京錠１０３を差し込んで施錠することにより、操作レバー１１はＯＦＦロックされ、操作ハンドル１１をＯＮ位置へ回動させようとしても、ロックプレート１４のロック片１４ｂが中駒部２１の第１のガイド２１ｅの壁部に当接するので、操作ハンドル１１を回動させることができず開閉器１０２はＯＦＦ状態にロックされる。
【００４６】
次に、電路に過電流が流れ、開閉器１０２の引外し手段のトリップ動作により可動接点が固定接点から引き外されてＯＦＦとなった場合について説明する。この場合、開閉器１０２の起倒形ハンドル１０２ａは、トリップ動作と同時に、ＯＮ位置とＯＦＦ位置とのほぼ中間位置に移動する。この起倒形ハンドル１０２ａの移動により、スライダー４及び操作板１３を介して操作ハンドル１１は反時計方向に駆動され、操作ハンドル１１の反ロックプレート側１１ｃの位置は、ＯＮ位置とＯＦＦ位置のほぼ中間位置であるトリップ位置まで移動して停止する。このとき、操作レバー１１に設けられているロックプレート１４は、図５の（ｂ１）に示す中駒部２１の第２の遮蔽壁２１ｃ２に対応した位置となる。従って、ロックプレート１４のロック片１４ｂは、第２の遮蔽壁２１ｃ２により遮蔽され、ロックプレート１４を操作ハンドル１１の溝１１ｂから引き出すことができない。これにより、トリップ位置での操作ハンドル１１のロックは防止される。
【００４７】
一旦ＯＦＦとされた開閉器１０２を再度ＯＮとするには、ロックプレート１４の施錠を解いてロックプレート１４を操作ハンドル１１に戻し、操作ハンドル１１をＯＦＦ位置から時計方向に回動させてＯＮ位置に移動させれば、開閉器１０２の起倒形ハンドル１０２ａがＯＮ位置へ移動され開閉器１０２はＯＮとなる。
【００４８】
次に、図５の（ｂ１）の構成による外部操作ハンドル装置に於いて、開閉器１０２の引外し手段が故障し電路に過電流が流れてもトリップ動作が行われず、開閉器１０１の固定接点と可動接点とが過電流の通電に伴う発熱で溶着し、ＯＮ状態のままとなる異常事態が発生した場合について説明する。この場合、前述したように開閉器１０１の起倒形ハンドル１０１ａはＯＮ位置のままとなり、操作ハンドル１１の位置もＯＮ位置のままとなる。このとき手動で操作ハンドル１１を反時計方向に回動させても、開閉器１０１の内部の操作機構の構造上、起倒形ハンドル１０２ａをせいぜいトリップ位置程度までしか移動することができず、しかも操作ハンドル１１から手を離せば、開閉器１０１の操作機構に設けられているバネ手段による強力な付勢力によりＯＮ位置に戻されることになる。従って、操作ハンドル１１を、トリップ位置へ移動させることはできず、ＯＦＦロックが防止される。
【００４９】
次に、開閉器１０２の取付け方向が（ａ２）である場合に於いて、ＯＮ／ＯＦＦロックを可能とする構成（ｂ２）について説明する。開閉器の取付方向が図５の（ａ２）の場合、その取付け方向に対応して主フレーム６、中間フレーム３、正面プレート２は、夫々図１に示す配置から反時計方向に９０度回転した状態での配置となる。この配置の場合、中駒部２１の第４の嵌合凹部２１ｂ４が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。操作ハンドル１１の正面プレート２への装着、及び操作ハンドル１１と操作板１３との固定作業については、前述した（ｂ１）の構成の場合と同様である。
【００５０】
次に、開閉器１０２の取付け方向が（ａ３）である場合に於いて、ＯＮ／ＯＦＦロックを可能とする構成（ｂ３）について説明する。開閉器の取付方向が図５の（ａ３）の場合、その取付け方向に対応して主フレーム６、中間フレーム３、正面プレート２は、夫々図１に示す配置から反時計方向に１８０度回転した状態での配置となる。この配置の場合、中駒部２１の第３の嵌合凹部２１ｂ３が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。操作ハンドル１１の正面プレート２への装着、及び操作ハンドル１１と操作板１３との固定作業の仕方については、前述した（ｂ１）の構成の場合と同様である。
【００５１】
次に、開閉器１０２の取付け方向が（ａ４）である場合に於いて、ＯＮ／ＯＦＦロックを可能とする構成（ｂ４）について説明する。開閉器の取付方向が図５の（ａ４）の場合、その取付け方向に対応して主フレーム６、中間フレーム３、正面プレート２は、夫々図１に示す配置から反時計方向に２７０度回転した状態での配置となる。この配置の場合、中駒部２１の第２の嵌合凹部２１ｂ２が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。操作ハンドル１１の正面プレート２への装着、及び操作ハンドル１１と操作板１３との固定作業については、前述した（ｂ１）の構成の場合と同様である。
【００５２】
以上のべた図５の（ｂ２）〜（ｂ４）の何れの構成に於いても（ｂ１）の構成の場合と同様に、操作ハンドル１１の反ロックプレート側１１ｃを、１２時に位置であるＯＮ位置から反時計方向に９０度回転させて９時の位置であるＯＦＦ位置とすれば、操作板１３に係合するスライダー４により開閉器１０２の起倒形ハンドル１０２ａはＯＮ位置からＯＦＦ位置へ駆動されて開閉器１０２はＯＦＦとなる。操作ハンドル１１の反ロックプレート側１１ｃをＯＦＦ位置から時計方向に９０度回動してＯＮ位置とすれば、起倒形ハンドル１０２ａはＯＮ位置に駆動されて開閉器１０２はＯＮとなる。
【００５３】
又、図５の（ｂ２）〜（ｂ４）の何れの構成に於いても、ロックプレート１４と中駒部２１との相対的位置関係は、前述した図５の（ｂ１）の構成の場合と同一である。従って、（ｂ２）〜（ｂ４）に示す構成による外部操作ハンドル装置に於いて、そのＯＮ／ＯＦＦロックの動作、開閉器１０２の引外し手段のトリップ動作により可動接点が固定接点から引き外された場合に於ける操作ハンドル１１のロック防止の動作、一旦ＯＦＦとされた開閉器１０２を再度ＯＮとする動作は、前述した図５の（ｂ１）の配置構成による夫々の動作と同様である。又、開閉器１０２の引外し手段が故障し、開閉器１０２の主接点が溶着してＯＮ状態のままとなる異常事態が発生した場合にＯＦＦロックを防止する動作についても、図５の（ｂ１）の構成による夫々の動作と同様である。
【００５４】
次に、開閉器１０２の取付け方向が（ａ１）である場合に於いて、ＯＦＦロックのみを可能とする構成（ｃ１）について説明する。開閉器の取付方向が（ａ１）の場合、中駒部２１の第３の嵌合凹部２１ｂ３が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。操作ハンドル１１の正面プレート２への装着、及び操作ハンドル１１と操作板１３との固定作業については、前述した（ｂ１）の構成の場合と同様である。
【００５５】
図５の（ｃ１）の構成に於いて、操作ハンドル１１の反ロックプレート側１１ｃがＯＮ位置にあるとき、即ち開閉器１０２がＯＮのとき、操作ハンドル１１に装着されたロックプレート１４は、ＯＮ位置に対して１８０度異なる位置である時計の６時の位置にあり、ロックプレート１４のロック片１４ｂは、中駒部２１の第１の遮蔽壁２１ｃ１に対応した位置にある。従って、ロックプレート１４を操作ハンドル１１から引き出すことができず、ＯＮロックは防止される。図７の（ｂ）に、その状態を模式的に示している。
【００５６】
次に、操作ハンドル１１の反ロックプレート側１１ａがＯＦＦ位置にあるとき、即ち開閉器１０２がＯＦＦ状態にあるとき、操作ハンドル１１に装着されたロックプレート１４は、ＯＦＦ位置に対して１８０度異なる位置である時計の３時の位置にあり、ロックプレート１４のロック片１４ｂは、中駒部２１の第３の遮蔽壁２１ｃ３に対応した位置にある。従って、この状態ではロックプレート１４を操作ハンドル１１から引き出すことはできない。
【００５７】
操作ハンドル１１をＯＦＦ位置から更に反時計方向に回動させてリセット位置に対応させると、ロックプレート１１のロック片１１ｂは第３の遮蔽壁２１ｃ３から外れて第３のガイド２１ｇに対応することになる。この状態で手動にてロックプレート１４を操作ハンドル１１の外側方向に引けば、そのロック片１４ｂが案内溝２１ｄから第３のガイド２１ｇ内に移動し、ロックプレート１４を操作ハンドル１１から引き出すことができる。図７の（ａ）に、そのロックプレート１４を引き出した状態を模式的に示している。リセット位置にある操作ハンドル１１から手を放せば、操作ハンドル１１はＯＦＦ位置へ戻るが、このときロックプレート１４のロック片１４ｂは、第３のガイド２１ｇ内を時計方向に移動して第３の遮蔽壁２１ｃ３の裏側に至り、ロックプレート１４は操作ハンドル１１から引き出されたままとなる。
【００５８】
この状態でロック孔１１ａに南京錠１０３を差し込んで施錠することにより、操作レバー１１はＯＦＦロックされ、操作ハンドル１１をＯＮ位置へ回動させようとしても、ロックプレート１４のロック片１４ｂが中駒部２１の第３のガイド２１ｇの壁部に当接するので、回動させることができず開閉器１０２はＯＦＦ状態にロックされる。
【００５９】
次に、電路に過電流が流れ、開閉器１０２の引外し手段のトリップ動作により可動接点が固定接点から引き外されてＯＦＦとなった場合について説明する。この場合、開閉器１０２の起倒形ハンドル１０２ａは、トリップ動作と同時に、ＯＮ位置とＯＦＦ位置とのほぼ中間位置に移動する。この起倒形ハンドル１０２ａの移動により、スライダー４及び操作板１３を介して操作ハンドル１１は反時計方向に駆動され、操作ハンドル１１の反ロックプレート側１１ｃの位置は、ＯＮ位置とＯＦＦ位置のほぼ中間位置であるトリップ位置まで移動して停止する。このとき、操作レバー１１に設けられているロックプレート１４は、図５の（ｃ１）に示す中駒部２１の第３の遮蔽壁２１ｃ３に対応した位置となる。従って、ロックプレート１４のロック片１４ｂは、第３の遮蔽壁２１ｃ３により遮蔽され、ロックプレート１４を操作ハンドル１１の溝１１ｂから引き出すことができない。これにより、トリップ位置での操作ハンドル１１のロックは防止される。
【００６０】
一旦ＯＦＦとされた開閉器１０２を再度ＯＮとするには、ロックプレート１４の施錠を解いてロックプレート１４を操作ハンドル１１に戻し、操作ハンドル１１をＯＦＦ位置から時計方向に回動させてＯＮ位置に移動させれば、開閉器１０２の起倒形ハンドル１０２ａがＯＮ位置へ移動され開閉器１０２はＯＮとなる。
【００６１】
次に、図５の（ｃ１）の構成による外部操作ハンドル装置に於いて、開閉器１０２の引外し手段が故障し電路に過電流が流れてもトリップ動作が行われず、開閉器１０１の固定接点と可動接点とが過電流の通電に伴う発熱で溶着し、ＯＮ状態のままとなる異常事態が発生した場合について説明する。この場合、前述したように開閉器１０１の起倒形ハンドル１０１ａはＯＮ位置のままとなり、操作ハンドル１１の位置もＯＮ位置のままとなる。このとき手動で操作ハンドル１１を反時計方向に回動させても、開閉器１０１の内部の操作機構の構造上、起倒形ハンドル１０２ａをせいぜいトリップ位置程度までしか移動することができず、しかも操作ハンドル１１から手を離せば、開閉器１０１の操作機構に設けられているバネ手段による強力な付勢力によりＯＮ位置に戻されることになる。従って、操作ハンドル１１を、トリップ位置へ移動させることはできず、ＯＦＦロックが防止される。
【００６２】
次に、開閉器１０２の取付け方向が（ａ２）である場合に於いて、ＯＦＦロックのみを可能とする構成（ｃ２）について説明する。開閉器の取付方向が図５の（ａ２）の場合、その取付け方向に対応して主フレーム６、中間フレーム３、正面プレート２は、夫々図１に示す配置から反時計方向に９０度回転した状態での配置となる。この配置の場合、中駒部２１の第２の嵌合凹部２１ｂ２が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。操作ハンドル１１の正面プレート２への装着、及び操作ハンドル１１と操作板１３との固定作業については、前述した（ｂ１）の構成の場合と同様である。
【００６３】
次に、開閉器１０２の取付け方向が（ａ３）である場合に於いて、ＯＦＦロックのみを可能とする構成（ｃ３）について説明する。開閉器の取付方向が図５の（ａ３）の場合、その取付け方向に対応して主フレーム６、中間フレーム３、正面プレート２は、夫々図１に示す配置から反時計方向に１８０度回転した状態での配置となる。この配置の場合、中駒部２１の第１の嵌合凹部２１ｂ１が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。操作ハンドル１１の正面プレート２への装着、及び操作ハンドル１１と操作板１３との固定作業の仕方については、前述した（ｂ１）の構成の場合と同様である。
【００６４】
次に、開閉器１０２の取付け方向が（ａ４）である場合に於いて、ＯＦＦロックのみを可能とする構成（ｃ４）について説明する。開閉器の取付方向が図５の（ａ４）の場合、その取付け方向に対応して主フレーム６、中間フレーム３、正面プレート２は、夫々図１に示す配置から反時計方向に２７０度回転した状態での配置となる。この配置の場合、中駒部２１の第４の嵌合凹部２１ｂ４が筒体２０の第１の嵌合凸部２２ｂ１に対応するように筒体２０に対する中駒部２１の位置決めを行い、その状態で夫々対応する嵌合凹部２１ｂ１〜２１ｂ４と嵌合凸部２２ｂ１〜２２ｂ４とを嵌合させて中駒部２１を筒体２０内に収納する。操作ハンドル１１の正面プレート２への装着、及び操作ハンドル１１と操作板１３との固定作業については、前述した（ｂ１）の構成の場合と同様である。
【００６５】
以上のべた図５の（ｃ２）〜（ｃ４）の何れの構成に於いても（ｂ１）〜（ｂ４）及び（ｃ１）の構成の場合と同様に、操作ハンドル１１の反ロックプレート側１１ｃを、１２時に位置であるＯＮ位置から反時計方向に９０度回転させて９時の位置であるＯＦＦ位置とすれば、操作板１３に係合するスライダー４により開閉器１０２の起倒形ハンドル１０２ａはＯＮ位置からＯＦＦ位置へ駆動されて開閉器１０２はＯＦＦとなる。操作ハンドル１１の反ロックプレート側１１ｃをＯＦＦ位置から時計方向に９０度回動してＯＮ位置とすれば、起倒形ハンドル１０２ａはＯＮ位置に駆動されて開閉器１０２はＯＮとなる。
【００６６】
又、図５の（ｃ２）〜（ｃ４）の何れの構成に於いても、ロックプレート１４と中駒部２１との相対的位置関係は、前述した図５の（ｃ１）の構成の場合と同一である。従って、（ｃ２）〜（ｃ４）に示す構成による外部操作ハンドル装置に於いて、そのＯＦＦロックの動作、開閉器１０２の引外し手段のトリップ動作により可動接点が固定接点から引き外された場合に於ける操作ハンドル１１のロック防止の動作、一旦ＯＦＦとされた開閉器１０２を再度ＯＮとする動作は、前述した図５の（ｃ１）の配置構成による夫々の動作と同様である。又、開閉器１０２の引外し手段が故障し、開閉器１０２の主接点が溶着してＯＮ状態のままとなる異常事態が発生した場合にＯＦＦロックを防止する動作についても、図５の（ｃ１）の構成による夫々の動作と同様である。
【００６７】
尚、中駒部２１の第２の遮蔽壁２１ｃ２、及び第３の遮蔽壁２１ｃ３の長さａは、開閉器１０２の引き外しばねの作用線がトグルリンク機構のデッドポイントを越えたとき、ロックプレート１４のロック片１４ｂがそれらの遮蔽壁を乗り越えることができる寸法に設定されている。前述した開閉器１０２の主接点の溶着時には、起倒形ハンドル１０２ａをＯＦＦ方向へ操作してもトグルリンク機構のデッドポイントを超えることができず、従がってロックプレート１４のロック片１４ｂは第２の遮蔽壁２１ｃ２又は第３の遮蔽壁２１ｃ３を乗り越えることができず、ロックプレート１４の引き出しは不可能となる。これにより、主接点溶着時のＯＦＦロック防止機能が実現される。一方、ＯＮロックの場合は、ＯＦＦロックのような制約がないため、開閉器１０２がＯＮ位置では、ロックプレート１４を引き出すことが可能である。ＯＦＦ用ガイドである第１の遮蔽壁２１ｃ１と、第２及び第３の遮蔽壁２１ｃ２、２１ｃ３との形状を異にしている理由はここにある。
【００６８】
前述したように、開閉器の取付け方向に対応して正面プレート２の取付け方向も変化するので、開閉器１０２の取付け方向は、正面プレート２に設けられたガイド孔２２ａの位置により判断することができる。
【００６９】
又、前述したように、正面プレート２の制御盤に対する方向は、開閉器１０２の取付方向に対応して変化するが、操作ハンドル１１のＯＮ位置、トリップ位置、ＯＦＦ位置は常に一定である。従って、制御盤、若しくは正面プレート２に貼着する「ＯＮ」、「ＯＦＦ」、「トリップ」の表示は、開閉器１０２の取付方向が決定してから、又は開閉器１０２の取付方向を確認してから、貼付することが好ましい。
【００７０】
以上述べたように、操作ハンドル１１とロック位置設定手段である中駒部２１は、回動軸１１ａの軸心を中心とする開閉器との相対的角度位置を、制御盤等の筐体に対する開閉器の取付け方向に対応して変更し得るよう構成されており、この発明の実施の形態１に係る開閉器の外部操作ハンドル装置は、開閉器１０２の取付け方向の如何によらず、常に操作ハンドル１１を正面プレート２に対して時計の１２時に位置である上方をＯＮ位置とし、その位置から反時計方向に９０度回転させた時計の９時の位置をＯＦＦ位置とすることができる。又、使用者側の要求に応じて、ＯＮ／ＯＦＦロックの機能を備え、且つ開閉器の主接点溶着時のＯＦＦロック防止機能を備えることができ、或いはＯＦＦロックのみの機能を備え、且つ開閉器の主接点溶着時のＯＦＦロック防止機能を備えることができる。
【００７１】
実施の形態２．
図８は、この発明の実施の形態２による開閉器の外部操作ハンドル装置の主要部の側面図である。実施の形態１では、中駒部２１を、フレーム部２２の略中央部の筒体２０の貫通穴に挿入する構成としているが、中駒部２１とフレーム部２２の形状は、これに限定されるものではなく、図８に示すように、中駒方式とはせず、フレーム部２２を、上フレーム２３と、下フレーム２４とに分割し、上フレーム２３を９０度間隔にずらして下フレーム２４に装着できるように構成してもよい。この場合、上フレーム２３はロック位置設定手段を構成し、その表面に、前述の中駒部２１の表面と同様に、案内溝２１ｄ、第１〜第３のガイド２１ｅ〜２１ｇ、第１〜第３の遮蔽壁２１ｃ１〜２１ｃ３とを設けることは勿論である。その他の構成は、実施の形態１と同様である。この実施の形態２によれば、開閉器の外部操作ハンドル装置を、より簡単な構成とすることができる
【図面の簡単な説明】
【００７２】
【図１】この発明の実施の形態１による開閉器の外部操作ハンドル装置の分解斜視図である。
【図２】この発明の実施の形態１による開閉器の外部操作ハンドル装置を開閉器に取り付けた状態を示す部分断面図である。
【図３】図３は、この発明の実施の形態１による開閉器の外部操作ハンドル装置の回動式ハンドル部を示す説明図である。
【図４】この発明の実施の形態１による開閉器の外部操作ハンドル装置の、正面プレートの筒体に中駒部を装着した状態を示す平面図である。
【図５】この発明の実施の形態１による開閉器の外部操作ハンドル装置の、中駒部の装着位置と開閉器の取付方向の関係を示す図である。
【図６】この発明の実施の形態１による開閉器の外部操作ハンドル装置の動作を説明する説明図である。
【図７】この発明の実施の形態１による開閉器の外部操作ハンドル装置の動作を説明する説明図である。
【図８】この発明の実施の形態２による開閉器の外部操作ハンドル装置の主要部の側面図である。
【符号の説明】
【００７３】
１    回動式ハンドル部
２    正面プレート
３    中間フレーム
４    スライダー
４ａ    長穴
４ｂ    係合穴
５    ヒネリバネ
６    主フレーム
６ａ１、６ａ２    ガイドレール
１１    操作ハンドル
１１ａ    回動軸
１１ｂ    溝
１１ｃ    操作ハンドルの反ロックプレート側
１２、３３、７ａ、７ｂ    ネジ
１３    操作板
１３ａ、１５    ピン
１３ｂ    ネジ用貫通孔
１３ｃ    長孔
１４    ロックプレート
１４ａ    ロック孔
１４ｂ    ロック片
１４ｃ    バネ用貫通孔
１６    圧縮バネ
２０    筒体
２１    中駒部
２１ａ    軸受
２１ｂ１    第１の嵌合凹部
２１ｂ２    第２の嵌合凹部
２１ｂ３    第３の嵌合凹部
２１ｂ４    第４の嵌合凹部
２１ｃ１    第１の遮蔽壁
２１ｃ２    第２の遮蔽壁
２１ｃ３    第３の遮蔽壁
２１ｄ    案内溝
２１ｅ    第１のガイド
２１ｆ    第２のガイド
２１ｇ    第３のガイド
２２    フレーム部
２２ａ    ガイド孔
２２ｂ１    第１の嵌合凸部
２２ｂ２    第２の嵌合凸部
２２ｂ３    第３の嵌合凸部
２２ｂ４    第４の嵌合凸部
２３    上フレーム
２４    下フレーム
３１    インターロックプレート
３１ａ    係合孔
３２    レリーズピン
１０１  外部操作ハンドル装置
１０２  開閉器
１０２ａ    起倒形ハンドル
１０３    南京錠
【図１】
2008091300.tif 000003
【図２】
2008091300.tif 000004
【図３】
2008091300.tif 000005
【図４】
2008091300.tif 000006
【図５】
2008091300.tif 000007
【図６】
2008091300.tif 000008
【図７】
2008091300.tif 000009
【図８】
2008091300.tif 000010